(57)【要約】【課　題】小さな力で開閉ができ、さらには書類の分量が少ない時には極力厚みを増さぬように綴じることができ、分量が多い時は自ら厚みを増すことによりしっかり綴じることができる便利なクリップを提供する。【解決手段】（１）板状材料にて成形された挟持顎における挟持板上にストッパーを形成する。（２）（１）における挟持顎一対を回動自在に設置する。（３）（２）における挟持体の後部に摺動自在に後部バネを設置する。（４）（３）における後部バネと干渉しない部位に操作ハンドルを設置する。【選択図】　　　図１
2004122634.tif 000002
【特許請求の範囲】
【請求項１】
一対の相互に回動可能に遊設された挟持顎、及び所定のばね力を介して前記挟持顎に書類等の保持力を付与可能に設けられた後部バネとから構成されることを特徴とするクリップ。
【請求項２】
前記後部バネは一対の挟持顎の後部における相対距離の初期値を最小にするとともに、両挟持顎に前記初期値を超える分量の書類等を挟んだ場合には一定範囲内で両挟持顎の相対距離を拡大し、かつ両挟持顎の脱落を規制する構造を具備したことを特徴とする請求項１記載のクリップ。
【請求項３】
前後に摺動可能な後部バネを採用し、かつ前記後部バネの脱落を防止する機構を具備したことを特徴とする請求項１または請求項２記載のクリップ。
【請求項４】
挟持板上にストッパーを形成し、後部バネにおける前記ストッパーに相対する部位に任意数の係止部を形成した請求項１から請求項３のいずれかに記載のクリップ。
【請求項５】
挟持顎後部に係止部を形成し、前記係止部にコイルバネ両端の弦を係止させたクリップであって、前記弦には両挟持顎後部を閉塞させるばね力を付勢し、かつ前記コイルバネにおけるコイル部には両挟持顎先端を閉塞させるばね力を付勢したことを特徴とする請求項１または請求項２記載のクリップ。
【発明の詳細な説明】
【０００１】
【発明の属する技術分野】本発明は、板状材料を使用したクリップに関するものである。
【０００２】
【従来の技術】従来、一般に認知されているクリップとして、一般に「目玉クリップ」と称されるものを代表とするいわゆるセンタクバサミ型のものや、側面コ字状の金属片に可倒式のアームを設けた一般に「ダブルクリップ」と称されるものなどがある。
【０００３】その他にも、側面コ字状の金属片を採用しスペース効率に優れたクリップが数種類発明されているが、多くは比較的小型のクリップ向けのデザインであって、大型でしかも薄い構造を実現したクリップは皆無に等しい。
【０００４】そこで小型のものから大型のものまでほぼ同一デザインの相似形で実現出来、かつ補助器具を使うことなく開閉できるクリップとして、同一発明者によって特開平９−１５８９０９、特開平１０−５４４０８、特開２００２−０４８１１２が発明・出願されている。
【発明が解決しようとする課題】
代表的な従来クリップの改善課題については特開平１０−５４４０８の明細書に記載があるので割愛する。
【０００５】同一発明者によって発明・出願された特開平９−１５８９０９、特開平１０−５４４０８、特開２００２−０４８１１２は、挟持板が格段に薄く後部への張り出し量も小さいので、従来の中〜大型クリップに比較してスペース効率を大きく改善している。
【０００６】しかしながら近年のビジネスシーンでは以下に述べるようなニーズが生じている。すなわちインターネットに直接アクセスできる携帯電話やＰＤＡなどの登場により、これらの携帯端末をビジネスに活用する企業が増えている。
が、これらのディスプレーはサイズ的に小さく、グラフや表計算などの大きなワークシートを一望しづらいため、プリンター出力を援用、併用するケースが多く見受けられるようになってきており、時として膨大なプリンター出力への対応を迫られる場面も少なくない。これらの元データは各種の記憶媒体上に保存されるため、プリンター出力にわざわざ穴をあけて綴じる必然性は今や殆ど無いため、多くのビジネスマンは専らこれらの書類をクリップで挟んで利用することになる。そこで中〜大型クリップに関して言うならば書類の分量の多少にかかわらず極力厚みを増さないように綴じることが出来れば、机や鞄のスペースをより有効に活用でき一層便利なクリップとなるはずである。
【０００７】ところで大型のクリップの場合、当然ながらバネそのものも強力なものとなるため、例えば握力の小さい女性事務職の方などが日常頻繁に書類を綴じ外しする時など扱い辛いものになっていた。この点を今少し詳しく説明すると、雑誌などの表紙に強く爪をあてがった場合、表紙にはクッキリと爪の痕が残るが、ページを捲るにつれ段々と爪の痕の輪郭がぼやけていく。すなわち「ひとかたまりの書類」とは極めて薄い板状材料の積層構造である、と考えれば圧力を面状に分散しやすいことが容易に理解できる。クリップで綴じられた書類は、クリップにより押圧された部位を中心に紙片間に摩擦力を生じることにより保持されているが、コピー用紙を挟む場合を例にとればクリップのサイズが変わっても挟まれる側の書類１枚あたりの厚みや摩擦係数が変わるわけではない。すなわち書類の分量の増加に伴い単に相似的にクリップのサイズを大きくしただけでは、書類の厚みにおける中心付近では十分な摩擦力が得られず、書類が「中落ち」してしまう。そこで実用的な大型のクリップを造る場合においては、この「中落ち」を防止するためにサイズ比以上にばね力を強化する必要があるのである。
【０００８】特開２００２−０４８１１２は小型〜大型のものまでほぼ同一の構造で造ることが出来、補助器具に頼らず単体で使用可能なクリップとして格段に薄く、ハンドルをアウタークリップとして使用でき、マグネットタイプやカバー付タイプなどにも容易に展開出来るなど、従来のクリップに無い数々の優れた特長を有していた。
【０００９】が、上に挙げた課題に関しては、従来のクリップにおいてはハンドルを長くする程度の工夫しか見られず、特開２００２−０４８１１２においても更なる改良の余地を残していた。
【００１０】また、一対の挟持板と後部バネを別部品とし、バネ押圧点どうしを結んだ線上を蝶番部が前後に移動することによって挟持板が閉じた状態と開いた状態とを選択的に保持できる構造がシャンプーのボトルキャップなどで既に知られており、事務用クリップに応用した商品も存在するが、挟持板の前後長に対しバネ部分の前後長が短い構造となるため、書類の保持力が弱く、バネ自体も金属疲労を起こしやすい。
【００１１】本発明は、特開平１０−５４４０８、特開２００２−０４８１１２の優れた特長を継承しつつ、挟持力が大きく、しかも握力の小さな方にも扱いやすい、という従来のクリップにおいては背反してしまうニーズに応え、さらには書類の分量が少ない時には極力厚みを増さぬように綴じることが出来、分量が多い時にもしっかり綴じることが出来る便利なクリップを提供しようとするものである。
【００１２】本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【００１３】
【課題を解決するための手段】
上記目的を達成するために、本発明のクリップにおいては、
（１）板状材料にて成形された挟持顎における挟持板上にストッパーを形成する。
（２）（１）における挟持顎一対を回動自在に設置する。
（３）（２）における挟持体の後部に摺動自在に後部バネを設置する。
（４）（３）における後部バネと干渉しない部位に操作ハンドルを設置する。
【００１４】なお、挟持顎の材料は任意でかまわない。また、一対の挟持顎を一体成形してもよい。さらに、挟持体には公知のいかなる挟持構造を採用してもよい。
【００１５】
【発明の実施の形態】以下に、本発明の実施の形態を説明する。
なお、説明の都合上、図１を例にとると、本発明において、挟持板と後部片を合わせた構造全体を挟持顎、一対の挟持顎及び後部バネとから構成され、書類等を保持しバネとして機能する挟持構造全体を「挟持体」と呼び、挟持板の先端方向を前方、その反対を後方、挟持体後部における短寸幅方向を上下、同じく長寸幅方向を左右と呼ぶ。
また、同じく図１におけるクリップに関しては、一対の挟持板によって構成されるクリップを「メインクリップ」、挟持板と前方に倒したハンドルによって構成されるクリップを「アウタークリップ」と呼んで区別する。
【００１６】図１、図２、図３、図４、図５は、本発明の最も基本的な構成をなすクリップ１０００の実施例である。
【００１７】図２に示すように、弾性体にて成形された挟持顎１０の挟持板２０の中央付近には、先端にカーリング部２２ｂを設けた可動片２２が形成され、さらにその両脇に一対の舌片２３が形成され、さらにその両脇に一対のスリット２６が形成されている。また、スリット２６の後端部２６ｂには係止片２８が形成されている。
【００１８】なお図１、図２、図３ではカーリング部２２ｂは全体に外側に突設しており、それ自体がストッパー２７となっている。
【００１９】さらに、挟持顎１０の背部３０には、基部３１からやや屈設するように突片３２ａ、３２ｂ、３２ｃが形成されており、凹部３３ａ、３３ｂ、３３ｃの幅はそれぞれ突片３２ａ、３２ｂ、３２ｃの幅に対応している。なお、突片３２の数は任意で構わない。また、図２では突片３２は後方に屈設されているが、前方に屈設してもよいことは言うまでもない。
【００２０】なお、生産時にハンドル４０の装着を容易にし、さらにハンドル４０の脱落を防止するためにカーリング部２２ｂの先端には折り返し２２ｃを設けるとよい。
【００２１】なお、図示しないがハンドルの軸受けとストッパーを別々に形成してもよいことは言うまでもない。
【００２２】図２に示すように、ハンドル４０は線材から成る環状のフレーム部４１と軸部４２から構成され、軸部４２には挟持顎１０における舌片２３に相当する左右位置に一対のストッパー４３を形成する。なお、フレーム部４１は、湾曲部４１ａ、前縁部４１ｂ、４１ｃ、アーム部４１ｄ、４１ｅ、屈曲部４１ｆ、４１ｇから構成されている。
【００２３】さらに図３に示すように、後部バネ５０は、板状部５１、５１、背部５２から構成されており、先端部５１ｂ、５１ｂ間の距離が縮まるよう弾性力を付与されている。
【００２４】なお、平面部５１ａにはスリット２６の幅に呼応したスリット５３が形成されており、前端部５３ａには係止片５５が形成されている。さらに、平面部５１ａにはストッパー２７の形状に呼応した係止部５４ａ、５４ｂ、５４ｃ、５４ｄが形成されている。なお、スリット２６、スリット５３は何れか一方を省略してもよい。
【００２５】組み立てに際しては、まず図２に示すようにハンドル４０のストッパー４３を舌片２３に当接させつつ、軸部４２をカーリング部２２に係止させることにより、挟持顎１０へハンドル４０を組み付ける。
【００２６】その後図３に示すようにそれぞれハンドル４０を組み付けた挟持顎１０、１０における突片３２ａ、３２ｂ、３２ｃをそれぞれ相手側の凹部３３ａ、３３ｂ、３３ｃに歯合させる。
【００２７】次いで後部バネ５０の先端部５１ｂ、５１ｂ間を外側に拡張し、係止片５５をスリット２６に、係止片２８をスリット５３に挿入しつつ外側への力を解放する。これにより歯合点Ｃ及び挟持板２０の先端を内部方向へ押圧する力が発生し、一対の挟持顎１０及びハンドル４０、後部バネ５０は通常の使用状態では分離しないよう保持される。
【００２８】なお、可動片２２と舌片２３を相対させた時に可動片２２には外側に向く力が付勢され、舌片２３には内側に向く力が付勢される様双方のバネが調整されており、図２に示すように軸部４２は可動片２２におけるカーリング部２２ｂ、折り返し２２ｃ、及び舌片２３によって握持されており、ハンドル４０を前方に倒した状態では舌片２３によりストッパー４３における頂上部４３ａが挟持体１０の内部方向へ押圧されている。
【００２９】本発明によるもっとも基本的な構成を成すクリップ１０００は以上のようなものであり、特開平１０−５４４０８、特開２００２−０４８１１２と同様、図４に示すように両ハンドル４０、４０を後方に倒して摘むことによりメインクリップに書類等を挟むのが基本的な使い方である。
【００３０】また、図示しないが特開２００２−０４８１１２と同様、ハンドル４０を前に倒すことで挟持板２０とハンドル４０の間に数枚程度の紙片等を保持することが出来る。
【００３１】加えて本発明では、図４、図５に示すように後部バネ５０を後方にスライドさせることにより、板状部５１、５１が挟持顎１０、１０を閉塞方向に押圧している押圧点を結ぶ直線Ｐ―Ｐ’と回転中心Ｃとの距離が縮小することにより、両ハンドル４０、４０を摘む際に加える力や、書類を挟んだりする際の保持力を軽減できる。
【００３２】また、図示しないが後部バネ５０を最も後退させた時に、前記直線Ｐ―Ｐ’が回転中心Ｃよりも後方に位置するよう設定すれば、クリップ１０００を挟持顎１０、１０が開いた状態に保持できる。
【００３３】図６、図７は、挟持顎背部を遊嵌状態とし、後部バネ１５０を任意量後退させたうえ、後方に倒したハンドルを摘まんでクリップを変形させた時に、後部バネ１５０が変形しても噛合部分が容易に抜脱しない様、突片１３２の高さＨ１を後部短寸幅Ｌ１の１０〜３０％程度に寸法設定した本発明によるクリップ１１００の実施例である。
【００３４】一般にいわゆる「ダブルクリップ」などの板状材料からなるクリップは、２ヶ所の折り曲げ部を完成状態よりも鋭角にプレスすることにより挟持力を付与される。しかしながら、本クリップでは、板状部１５１の前後長は挟持面１２１の前後長よりも短くても構わないため、後部バネ１５０の伸縮部１５２全体を側面円弧状にカーリングプレスすることによっても十分な挟持力を付与することが可能である。
【００３５】この実施例では書類の分量が少ない時は図６に示すように初期状態における略後部短寸幅Ｌ１程度の厚みの書類を保持できる。
【００３６】また、書類の厚みが初期状態の略後部短寸幅Ｌ１を多少超えても、図７に示すようにその量が突片１３２の重なり高さの差分Ｗ２−Ｗ１の範囲内であるなら、突片１３２が後部短寸幅を拡大するようにスライドするため、書類の厚み略後部短寸幅Ｌ２まで保持することができる。
【００３７】図８、図９、図１０は、挟持顎２１０、２１０をコイルバネ２５０を介して回動自在に設置した本発明によるクリップ１２００の実施例である。挟持顎２１０の背部２３０には、コイル受け２３４、規制片２３５、係止片２３６が形成されており、コイル部２５１には挟持顎２１０、２１０の先端を閉じる方向にばね力が与えられており、弦２５２は挟持顎２１０、２１０の後部を内側に引き寄せるよう弾性力が与えられている。
【００３８】組み立てに際しては、コイル部２５１の開口部２５１ａ、２５１ｂにそれぞれコイル受け２３４、２３４を挿入しつつ、弦２５２、２５２の遊嵌部２５２ｂ、２５２ｂを基部２３１、２３１と規制片２３５、２３５の間に挿入しつつ、突片２３２ａ、２３２ｂ、２３２ｃをそれぞれ凹部２３３ａ、２３３ｂ、２３３ｃに歯合しつつ、弦２５２、２５２の先端部２５２ｃ、２５２ｃをそれぞれ係止片２３６、２３６に係止する。
【００３９】一般的にコイルバネを採用したクリップは、一対の挟持顎を連結棒及びコイルバネを介して回動自在に連結させるものが多い。しかるに、図８、図９、図１０の実施例によるクリップは連結棒を無くしたことにより生産コストを抑えられる。さらには、歯合部の重なりの高さＷ３〜Ｗ４の範囲内でクリップ後部短寸幅Ｌ３〜Ｌ４が増すため、初期状態では薄く、大量の書類を挟む際には自動的に厚みが増すクリップを造ることが出来る。
【００４０】図１１は、板状のハンドル３４０の両側部に抱持部３４２、３４２を形成し、挟持顎３１０における挟持板３２０の両側部に形成した被抱持部３２６、３２６を摺動自在に抱持させた、本発明によるクリップ１３００の実施例である。
【００４１】なお、該挟持板３２０の挟持面３２１の後部に近い部位には、係止部３２３、３２３を形成し、前記係止部３２３、３２３を係止させるためにハンドル３４０における板状部３４１の先端に折り返し部３４３を形成してもよい。
【００４２】さらに、ハンドル３４０格納時及びハンドル３４０展開時の状態を選択的に保持するために、ハンドル３４０の折り曲げ部３４３を係止する突出形状３２４ａ、３２４ｂを挟持面３２１上に形成してもよい。
【００４３】また、ハンドル３４０格納時及びハンドル３４０展開時のグラつき感を無くすために、抱持部３４２、３４２に内部方向への突出形状３４７、３４７を形成し、挟持板３２０両側部の被抱持部３２６、３２６に前記突出形状３４７、３４７に呼応した開口形状３２８、３２８を形成してもよい。
【００４４】また、ハンドル３４０の剛性を高めるためにハンドル３４０後端に折り曲げ部３４４を設けたり、図示しないが、平面部３４１ａ上にプレスにより立体形状を設けるとよい。
【００４５】なお、図示しないが挟持体を板状弾性体で一体成形する場合は、挟持体の変位量が金属疲労を起こさぬ範囲内に規制される様に両ハンドル展開時に該折り曲げ部３４４同士が当接するよう寸法設定するとよい。
【００４６】なお、挟持体側に抱持部、ハンドル側に被抱持部を形成する構成としてもよいことは言うまでもない。その場合はハンドル前縁をいわゆる目玉クリップのようにＴ字状としてもよい。
【００４７】また、ハンドル３４０後端付近に任意形状の開口部３４６が形成されている。開口部３４６はハンドル３４０の摺動の際に指を掛け易くするほか、クリップ１３００を壁等に設けた吊り下げフック等に引っ掛けるなどして使用する。
【００４８】なお図１１においては係止部を凸形状、被係止部を凹形状としているが、係止部を凹形状、被係止部を凸形状としてもよいことは言うまでもない。
【００４９】図１２は、ほぼ従来の「ダブルクリップ」と同様のハンドル４４０、及び軸受け４２３、４２３を採用し、一対の挟持顎４１０、４１０にそれぞれスリット４２６、４２６、係止片４２８、４２８、及びストッパー４２７を形成し、後部バネ４５０における前記スリット４２６、４２６に対応する部位にスリット４５３、４５３、係止片４５５、４５５、及びストッパー４２７に対応する部位に係止部４５４ａ、４５４ｂ、４５４ｃ、４５４ｄを形成したクリップ１４００の実施例である。
【００５０】従来の大型サイズのダブルクリップはばね力が極めて大きいため、小型のダブルクリップを相似的に大きくした場合よりも更に長いハンドルを採用することが多かったが、本発明を応用し一対の挟持顎４１０、４１０、及び前後に摺動する後部バネ４５０を採用することによりハンドル４４０の長さを最小限のものとすることができる。
【００５１】
【発明の効果】
本発明は以上のような構成であり、以下に記載するような効果を奏する。
【００５２】一対の挟持顎、及び前後に摺動する後部バネを採用することにより、ハンドル操作時には後部バネを最後部まで移動することにより握力の小さな方でも挟持顎先端を開く動作が容易になる。書類等を挟んだ後に後部バネを最前部まで移動すれば、それらをより強力に保持できる。
【００５３】挟持顎背部を遊嵌状態とし、後部バネを任意量後退させたうえ、後方に倒したハンドルを摘まんでクリップを変形させた時に、後部バネが変形しても噛合部分が容易に抜脱しない様寸法設定することにより、書類の分量が少ない時には極力厚みを増さぬように綴じることが出来、分量が多い時にもしっかり綴じることが出来る便利なクリップを提供できる。
【００５４】後部バネを後退させればハンドルにかかるせん断力をより小さくできるため、八ンドルの線径を特開平１０−５４４０８、特開２００２−０４８１１２よりもさらに細くすることができる。これにより実質的に薄い大型クリップを造ることができる。
【００５５】以上見てきたように、本発明によるクリップは、閲覧性の良さや抜群の省スペース性など特開平１０−５４４０８、特開２００２−０４８１１２の優れた特長を継承しつつ、挟持力が大きく、従って大量の書類をしっかりと保持することができ、握力の小さな方でも扱いやすい、という従来のクリップにおいては背反してしまうニーズに応えることができる非常に魅力的なクリップとなっている。
【図面の簡単な説明】
【図１】本発明の一実施例におけるクリップの斜視図
【図２】本発明の一実施例におけるクリップの分解斜視図
【図３】本発明の一実施例におけるクリップの分解斜視図
【図４】本発明の一実施例におけるクリップの使用状態を示す斜視図
【図５】本発明の一実施例におけるクリップの使用状態を示す側面図
【図６】本発明の一実施例におけるクリップの使用状態を示す側面図
【図７】本発明の一実施例におけるクリップの使用状態を示す側面図
【図８】本発明の一実施例におけるクリップの後部分解正面図
【図９】本発明の一実施例におけるクリップの後部正面図
【図１０】本発明の一実施例におけるクリップの後部正面図
【図１１】本発明の一実施例におけるクリップの分解斜視図
【図１２】本発明の一実施例におけるクリップの分解上面図
【符号の説明】
１０　挟持顎
２０　挟持板
２１　挟持面
２２　可動片
２２ａ　支持部
２２ｂ　カーリング部
２２ｃ　折り返し
２３　舌片
２４　先端部
２４ａ、２４ｂ　コーナー部
２５　開口部
２６　スリット
２６ａ　前端部
２６ｂ　後端部
２７　ストッパー
２８　係止片
３０　背部
３１　基部
３２、３２ａ、３２ｂ、３２ｃ　突片
３３、３３ａ、３３ｂ、３３ｃ　凹部
４０　ハンドル
４１　フレーム部
４１ａ　湾曲部
４１ｂ、４１ｃ　前縁部
４１ｄ、４１ｅ　アーム部
４１ｆ、４１ｇ　屈曲部
４２ａ、４２ｂ、４２ｃ、４２ｄ　軸部
４３　ストッパー
５０　後部バネ
５１　板状部
５１ａ　平面部
５１ｂ　先端部
５１ｃ　切り欠き
５１ｄ　折り曲げ部
５２　背部
５３　スリット
５３ａ　前端部
５３ｂ　後端部
５４、５４ａ、５４ｂ、５４ｃ、５４ｄ　係止部
５５　係止片
１１０　挟持顎
１２０　挟持板
１２１　挟持面
１２２　可動片
１２３　舌片
１２７　ストッパー
１３０　背部
１３１　基部
１３２　突片
１３３　凹部
１４０　ハンドル
１５０　後部バネ
１５１　板状部
１５２　伸縮部
２１０　挟持顎
２２０　挟持板
２３０　背部
２３１　基部
２３２、２３２ａ、２３２ｂ、２３２ｃ　突片
２３３、２３３ａ、２３３ｂ、２３３ｃ　凹部
２３４　コイル受け
２３５　規制片
２３６　係止片
２４０　ハンドル
２５０　コイルバネ
２５１　コイル部
２５１ａ、２５１ｂ　開口部
２５２　弦
２５２ａ　湾曲部
２５２ｂ　遊嵌部
２５２ｃ　先端部
３１０　挟持顎
３２０　挟持板
３２１　挟持面
３２２　可動片
３２２ａ　支持部
３２２ｂ　カーリング部
３２２ｃ　折り返し
３２３　係止部
３２４、３２４ａ、３２４ｂ　突出形状
３２５　開口部
３２６　被抱持部
３２６ａ　前端部
３２６ｂ　後端部
３２７　ストッパー
３２８　開口形状
３３０　背部
３３２、３３２ａ、３３２ｂ、３３２ｃ　突片
３３３、３３３ａ、３３３ｂ、３３３ｃ　凹部
３４０　ハンドル
３４１　板状部
３４１ａ　平面部
３４１ｂ　折り曲げ部
３４２　抱持部
３４２ａ　前端部
３４２ｂ　後端部
３４３　先端部
３４４　折り曲げ部
３４５　間隙
３４６　開口部
３４７、３４７ａ、３４７ｂ　係止部
３５０　後部バネ
３５１　板状部
３５１ａ　平面部
３５１ｂ　先端部
３５１ｃ　切り欠き部
３５１ｄ　折り曲げ部
３５２　背部
３５３　スリット
３５３ａ　前端部
３５３ｂ　後端部
３５４、３５４ａ、３５４ｂ、３５４ｃ、３５４ｄ　係止部
４１０　挟持顎
４２０　挟持板
４２１　挟持面
４２２　可動片
４２３　軸受け
４２６　スリット
４２７　ストッパー
４２８　係止片
４４０　ハンドル
４４１　フレーム部
４４２　軸部
４５０　後部バネ
４５３　スリット
４５４　開口部
４５５　係止片
１０００　クリップ
１１００　クリップ
１２００　クリップ
１３００　クリップ
１４００　クリップ
Ｃ　回転中心
Ｈ１、Ｈ２　突片の高さ
Ｌ１、Ｌ２、Ｌ３、Ｌ４　後部短寸幅
Ｐ、Ｐ’　押圧点
Ｗ１、Ｗ２、Ｗ３、Ｗ４　重なり高さ
【図１】
2004122634.tif 000003
【図２】
2004122634.tif 000004
【図３】
2004122634.tif 000005
【図４】
2004122634.tif 000006
【図５】
2004122634.tif 000007
【図６】
2004122634.tif 000008
【図７】
2004122634.tif 000009
【図８】
2004122634.tif 000010
【図９】
2004122634.tif 000011
【図１０】
2004122634.tif 000012
【図１１】
2004122634.tif 000013
【図１２】
2004122634.tif 000014